(57)【要約】【課題】撮像した画像を簡単にかつ短時間で送信することができる携帯型情報処理装置およびそのメール送信方法を提供する。【解決手段】折り畳み状態で対象物を撮像し、撮像した画像を前記折り畳み状態のままメール送信することができるので、撮像およびメール送信の一連の操作を、折り畳み状態および展開状態の切替えを行うことなく実現する。【選択図】      図１
2005020092.tif 000002
【特許請求の範囲】
【請求項１】
情報を入力するための第１および第２操作部を含み、これら第１および第２操作部を操作可能な操作部許容状態と、第１操作部の操作が規制される操作部規制状態とにわたって切替可能な携帯型情報処理装置であって、
操作部規制状態で第２操作部の操作に基づいて撮像する撮像手段と、
携帯型情報処理装置が操作部許容状態にあるか操作部規制状態にあるかを判定する判定手段と、
判定手段の判定結果に基づき、前記操作部規制状態で撮像した画像を、操作部規制状態のまま第２操作部の操作によってメール送信する制御手段とを有することを特徴とする携帯型情報処理装置。
【請求項２】
画像を記憶する記憶手段をさらに有することを特徴とする請求項１に記載の携帯型情報処理装置。
【請求項３】
操作部規制状態で送受信可能な通信制御手段をさらに有し、制御手段は、予め定める宛先へメール送信する指令を通信制御手段へ与えることを特徴とする請求項１に記載の携帯型情報処理装置。
【請求項４】
制御手段は、予め定める複数の件名のうちの１つを選択して画像とともにメール送信する指令を通信制御手段へ与えることを特徴とする請求項３に記載の携帯型情報処理装置。
【請求項５】
制御手段は、予め定める複数のメール本文のうちの１つを選択して画像とともにメール送信する指令を通信制御手段へ与えることを特徴とする請求項４に記載の携帯型情報処理装置。
【請求項６】
情報を入力するための第１および第２操作部を含み、これら第１および第２操作部を操作可能な操作部許容状態と、第１操作部の操作が規制される操作部規制状態とにわたって切替可能な携帯型情報処理装置のメール送信方法であって、
操作部規制状態で第２操作部の操作に基づいて撮像する撮像工程と、
携帯型情報処理装置が操作部許容状態にあるか操作部規制状態にあるかを判定する判定工程と、
判定工程の判定結果に基づき、前記操作部規制状態で撮像した画像を、操作部規制状態のまま第２操作部の操作によってメール送信する送信工程とを有することを特徴とする携帯型情報処理装置のメール送信方法。
【発明の詳細な説明】
【０００１】
【発明の属する技術分野】
本発明は、携帯型情報処理装置およびそのメール送信方法に関し、たとえば折り畳み型の携帯電話機に好適に適用される技術に関する。
【０００２】
【従来の技術】
近年、入力された光信号を電気信号に変換する撮像素子および撮像レンズを有するカメラを搭載した携帯電話機であって、折り畳み型の携帯電話機が実用に供されている。前記折り畳み型の携帯電話機は、クラムシェル型の携帯電話機とも呼ばれる。この種の携帯電話機において、搭載するカメラを用いて撮像した画像を、以下の操作によって送信する技術（特許文献１，２）が提案されている。
【０００３】
具体的に、折畳み状態で撮像可能なクラムシェル型の携帯電話機の場合、操作者は、たとえば前記折畳み状態で対象物を撮像した後、この携帯電話機を折畳み状態から展開状態に切替える。前記展開状態において操作者は宛先、タイトル、およびメール本文などを入力する。次に操作者は、前記展開状態のまま入力した宛先へ撮像した画像とともにメール送信する。その後携帯電話機を折畳み状態に戻す。
【０００４】
また展開状態で撮像可能なクラムシェル型の携帯電話機の場合、操作者は、たとえばこの携帯電話機を折畳み状態から展開状態に切替える。操作者は、前記展開状態で対象物を撮像した後、展開状態のまま宛先、タイトル、およびメール本文などを入力する。次に、操作者は前記展開状態のまま入力した宛先へ撮像した画像とともにメール送信する。その後携帯電話機を折畳み状態に戻す。
【０００５】
【特許文献１】
特開平１１−１４３８０３号公報
【特許文献２】
特開２００２−３７３１３７号公報
【０００６】
【発明が解決しようとする課題】
このような従来技術では、対象物を撮像してメール送信する際、操作者は、携帯電話機を折畳み状態から展開状態に切替えなければならない。その後携帯電話機を、相手からのメールおよび電話を待受ける待受け状態にする場合には、前記携帯電話機を折畳み状態に戻すことが多い。このように従来技術のものでは、折畳み状態および展開状態の切替えを必要に応じて行わなければならないので、対象物を撮像してメール送信し、待受け状態に戻すまでの操作性が悪い。
【０００７】
特に展開状態で使用可能な複数の機能のなかから、所望の機能つまりメール送信機能を選択し、さらに宛先、タイトル、およびメール本文などを入力しなければならない。したがって携帯電話機の操作に不慣れな操作者は、メール送信する前の準備時間が長くかかる。それ故、従来技術のものでは、撮像した画像を簡単にかつ短時間で特定の相手先へ送信することができない。
【０００８】
したがって本発明の目的は、撮像した画像を簡単にかつ短時間で送信することができる携帯型情報処理装置およびそのメール送信方法を提供することである。
【０００９】
【課題を解決するための手段】
本発明は、情報を入力するための第１および第２操作部を含み、これら第１および第２操作部を操作可能な操作部許容状態と、第１操作部の操作が規制される操作部規制状態とにわたって切替可能な携帯型情報処理装置であって、
操作部規制状態で第２操作部の操作に基づいて撮像する撮像手段と、
携帯型情報処理装置が操作部許容状態にあるか操作部規制状態にあるかを判定する判定手段と、
判定手段の判定結果に基づき、前記操作部規制状態で撮像した画像を、操作部規制状態のまま第２操作部の操作によってメール送信する制御手段とを有することを特徴とする携帯型情報処理装置である。
【００１０】
本発明に従えば、撮像手段によって、操作部規制状態で第２操作部の操作に基づいて撮像する。その後、操作部許容状態にあるか操作部規制状態にあるかを判定する判定結果に基づき、制御手段によって、撮像した画像を操作部規制状態のままメール送信する。
【００１１】
特に、操作部規制状態で対象物を撮像し、撮像した画像を前記操作部規制状態のままメール送信することができるので、撮像およびメール送信の一連の操作を、操作部規制状態および操作部許容状態の切替えを行うことなく実現することができる。したがって携帯型情報処理装置の操作手順を従来のものより簡略化することができる。
【００１２】
しかも第１操作部の操作が規制された操作部規制状態で、前述の撮像およびメール送信の操作を行うことができる。換言すれば、限定された機能のなかから、対象物を撮像してメール送信するための所望の機能を選択することができる。したがって撮像した画像を、簡単にかつ短時間でメール送信することができる。仮に携帯型情報処理装置の操作に不慣れな操作者であっても、メール送信する前の準備時間を、従来のものより格段に短縮することが可能となる。
【００１３】
また本発明は、画像を記憶する記憶手段をさらに有することを特徴とする。
本発明に従えば、記憶手段に撮像した画像を一旦記憶しておき、その後この画像を、操作部規制状態のまま第２操作部の操作によって、メール送信することができる。
【００１４】
また本発明は、操作部規制状態で送受信可能な通信制御手段をさらに有し、制御手段は、予め定める宛先へメール送信する指令を通信制御手段へ与えることを特徴とする。
【００１５】
本発明に従えば、制御手段によって、予め定める宛先へメール送信する指令を通信制御手段へ与えることができる。したがって撮像した画像をメール送信するための準備時間を短縮することが可能となる。
【００１６】
また本発明は、制御手段は、予め定める複数の件名のうちの１つを選択して画像とともにメール送信する指令を通信制御手段へ与えることを特徴とする。
【００１７】
本発明に従えば、制御手段によって、予め定める複数の件名のうちの１つを選択して画像とともにメール送信する指令を通信制御手段へ与えることができる。したがって撮像した画像をメール送信するための準備時間を、一層短縮することが可能となる。
【００１８】
また本発明は、制御手段は、予め定める複数のメール本文のうちの１つを選択して画像とともにメール送信する指令を通信制御手段へ与えることを特徴とする。
【００１９】
本発明に従えば、制御手段によって、予め定める複数のメール本文のうちの１つを選択して画像とともにメール送信する指令を通信制御手段へ与えることができる。したがって撮像した画像をメール送信するための準備時間を、さらに短縮することが可能となる。
【００２０】
また本発明は、情報を入力するための第１および第２操作部を含み、これら第１および第２操作部を操作可能な操作部許容状態と、第１操作部の操作が規制される操作部規制状態とにわたって切替可能な携帯型情報処理装置のメール送信方法であって、
操作部規制状態で第２操作部の操作に基づいて撮像する撮像工程と、
携帯型情報処理装置が操作部許容状態にあるか操作部規制状態にあるかを判定する判定工程と、
判定工程の判定結果に基づき、前記操作部規制状態で撮像した画像を、操作部規制状態のまま第２操作部の操作によってメール送信する送信工程とを有することを特徴とする携帯型情報処理装置のメール送信方法である。
【００２１】
本発明に従えば、撮像工程において、操作部規制状態で第２操作部の操作に基づいて、対象物を撮像する。判定工程において、携帯型情報処理装置が操作部許容状態にあるか操作部規制状態にあるかを判定する。メール送信工程においては、判定工程の判定結果に基づき、前記操作部規制状態で撮像した画像を、操作部規制状態のまま第２操作部の操作によってメール送信する。
【００２２】
特に、操作部規制状態で対象物を撮像し、撮像した画像を前記操作部規制状態のままメール送信することができるので、撮像およびメール送信の一連の操作を、操作部規制状態および操作部許容状態の切替えを行うことなく実現することができる。したがって携帯型情報処理装置の操作手順を従来のものよりも簡略化することができる。
【００２３】
しかも第１操作部の操作が規制された操作部規制状態で、前述の撮像およびメール送信の操作を行うことができる。換言すれば、限定された機能のなかから、対象物を撮像してメール送信するための所望の機能を選択することができる。したがって撮像した画像を、簡単にかつ短時間でメール送信することができる。仮に携帯型情報処理装置の操作に不慣れな操作者であっても、メール送信する前の準備時間を、従来のものよりも格段に短縮することが可能となる。
【００２４】
【発明の実施の形態】
図１は、本発明の実施形態に係る電話機において、サブ画面と背面キーとの関係を表す図である。図２は、折り畳んだ状態の携帯電話機のカメラを含む一表面部を表す図である。図３は、展開状態の携帯電話機を、その厚み方向一方側から見た図である。図４は、折り畳んだ状態の携帯電話機の一側面図である。図５は、折り畳んだ状態の携帯電話機の他側面図である。
【００２５】
本実施形態は、携帯型情報処理装置を、小型カメラを搭載した折り畳み型の携帯電話機に適用した場合の一例である。ただし折り畳み型の携帯電話機に必ずしも限定されるものではない。たとえば後述の第１ケーシングを第２ケーシングに対して相対的にかつ略平行にスライド変位させるスライド型、第１ケーシングをその厚み方向に平行な軸線まわりに第２ケーシングに対して回転変位させる回転式、これら折り畳み型、スライド型、回転式の構造を選択的に組み合わせた種々な携帯電話機に適用可能である。
【００２６】
携帯電話機１は、主に、ケーシング２，３とヒンジ部４とを有する。これらケーシング２，３は、図１および図２に示すような相互に対向させた折り畳み状態と、図３に示す展開状態とにわたって、ヒンジ部４によって相互に角変位自在に連結される。すなわちケーシング２，３は、前記折り畳み状態から、ヒンジ部４とケーシング２の先端部とを含む仮想一平面と、ヒンジ部４とケーシング３の先端部とを含む仮想一平面とのなす角度がたとえば約１８０度となる位置まで、ヒンジ部４を中心として相互に角変位自在に構成されている。
【００２７】
ケーシング２には、情報を入力する第１操作部としての内部側操作部５が設けられている。内部側操作部５は、ケーシング２，３を相互に対向させた折り畳み状態で、ケーシング２のケーシング３に対向する領域に設けられる。内部側操作部５は、数字データ、文字データ、および携帯電話機１への指示などの所定の情報を入力するための複数の操作キー５ａを有し、操作キー５ａを操作することによって、後述する制御部６（図６参照）に各操作キー５ａに対応した指示信号を与える。
【００２８】
ケーシング３には内部側表示部７が設けられている。内部側表示部７は、ケーシング２，３を相互に対向させた折り畳み状態で、ケーシング３のケーシング２に対向する領域に設けられる。内部側表示部７は、前記内部側操作部５の操作によって入力される情報に応答して表示内容を表示する。この内部側表示部７は、たとえばカラー表示可能な微反射型液晶（半透過半反射型液晶を用いてもよい。）表示素子によって実現される。この折り畳み状態が操作部規制状態に相当する。
【００２９】
内部側表示部７および内部側操作部５を、ケーシング２，３の相互に対向する領域にそれぞれ設けることによって、ケーシング２，３を展開状態としたとき、操作者は内部側表示部７を見つつ内部側操作部５によって情報を入力することができる。本実施の形態において展開状態とは、次のような状態である。すなわちケーシング２，３が相互に対向させた折り畳み状態で相互に対向する領域が、外部に露出する状態であって、操作者が、内部側表示部７を目視することができるとともに、内部側操作部５を操作することができる状態である。前記展開状態が操作部許容状態に相当する。
【００３０】
ケーシング３において内部側表示部７の背面側およびケーシング３の一側面部には、情報を入力する第２操作部としての外部側操作部８が設けられている。換言すれば、外部側操作部８は、ケーシング３の外部に露出する領域に設けられる。この外部側操作部８は、前記背面側に設けられるキー操作部９と、前記一側面部に設けられる後述するシャッタキー１０とを備えている。
【００３１】
キー操作部９は、適当間隔おきに配設される３つの背面キー９ａ，９ｂ，９ｃからなる。これら背面キー９ａ，９ｂ，９ｃのうちの１つの背面キー９ａは、後述する外部側表示部１１における矩形状表示エリアの一辺１２の中間付近に近接して配設される。前記背面キー９ａを中央キー９ａと定義する。別の背面キー９ｂは、前記矩形状表示エリアの四隅のうちの１つ、つまり前記一辺１２とこの一辺１２に隣接する一辺１３との交点に近接して配設される。前記背面キー９ｂを左キー９ｂと定義する。残りの背面キー９ｃは、矩形状表示エリアの四隅のうちの１つ、つまり矩形状表示エリアの一辺１２とこの一辺１２に隣接する他の一辺１４との交点に近接して配設される。前記背面キー９ｃを右キー９ｃと定義する。
【００３２】
後述するが、これら中央キー９ａ、左キー９ｂ、右キー９ｃ、およびシャッタキー１０を選択的に操作することで、撮像画像のズームアップまたはズームダウン、画像データの仮保存および保存、待受け表示画面の登録、およびクイックメールの送信などが実行可能である。
【００３３】
ケーシング３の前記背面側には、外部側表示部１１が設けられている。したがって、内部側表示部７の表示面と、外部側表示部１１の表示面とは、互いに離反する方向に臨む。この外部側表示部１１は、前記外部側操作部８の操作によって入力される情報に応答して表示内容を表示する。外部側表示部１１は、たとえばカラー表示可能な微反射型液晶（半透過半反射型液晶を用いてもよい。）表示素子によって実現される。
【００３４】
前述した内部側表示部７および外部側表示部８は、カラー表示可能な微反射型液晶（半透過半反射型液晶を用いてもよい。）表示素子によって実現されるが、必ずしもこれに限定されるものではない。たとえば内部側表示部７および外部側表示部８の少なくともいずれか１つを、カラー表示または白黒表示可能な透過型液晶表示素子、反射型液晶表示素子、エレクトロルミネッセンス（Ｅｌｅｃｔｒｏ  Ｌｕｍｉｎｅｓｃｅｎｔ；略称ＥＬ）素子、および白黒表示可能な微反射型液晶（半透過半反射型液晶を用いてもよい。）表示素子のうちのいずれか１つによって実現されてもよい。
【００３５】
ケーシング２において内部側操作部５の背面側には、撮像手段であるカメラ１５と、アンテナ１６とが付設されている。カメラ１５は、入射光を電気的な信号に変換し、画像データを生成する。カメラ１５は、ケーシング２の基端部つまりヒンジ部４付近に設けられる。このカメラ１５は、撮像レンズと、電荷結合素子（Ｃｈａｒｇｅ  Ｃｏｕｐｌｅｄ  Ｄｅｖｉｃｅ；略称ＣＣＤ）イメージセンサおよび相補型モス（Ｃｏｍｐｌｅｍｅｎｔａｒｙ  Ｍｅｔａｌ  Ｏｘｉｄｅ  Ｓｅｍｉｃｏｎｄｕｃｔｏｒ；略称ＣＭＯＳ）イメージセンサなどの撮像素子と、赤色（Ｒ），緑色（Ｇ），青色（Ｂ）の３色のカラーフィルタと、マイクロレンズアレイとを有する。カメラ１５は、被写体で反射された撮像レンズに入射した光を、カラーフィルタを通してＲ，Ｇ，Ｂの３色光にし、Ｒ，Ｇ，Ｂの３色光をそれぞれ前記撮像素子によって電気信号に変換する。
【００３６】
図６は、携帯電話機１の電気的構成を示すブロック図である。携帯電話機１は、前述したケーシング２，３、内部側操作部５、内部側表示部７、外部側表示部１１、外部側操作部８、カメラ１５およびアンテナ１６の他に、制御部６、画像処理部１７、第１メモリ１８、第２メモリ１９、第１表示ドライバ部２０、第２表示ドライバ部２１、第１バックライトユニット２２、第２バックライトユニット２３、状態検出スイッチ２４、無線部２５、通信制御手段としての通信制御部２６、音声入力部２７および音声出力部２８をさらに含む。
【００３７】
制御部６は、中央演算処理装置（Ｃｅｎｔｒａｌ  Ｐｒｏｃｅｓｓｉｎｇ  Ｕｎｉｔ；略称ＣＰＵ）によって実現され、その内部に保存される制御プログラムに基づいて、携帯電話機１を構成する各部の制御を行う。制御部６は、内部側操作部５および外部側操作部８によって入力される情報、および後述する状態検出スイッチ２４に応答して携帯電話機１を構成する各部に制御信号を与えて、その動作を制御する。この制御部６が制御手段に相当する。
【００３８】
また制御部６は、状態検出スイッチ２４を用いた判定結果に基づき、折り畳み状態で通話着信またはメール着信した着信データを用いて、この折り畳み状態のまま外部側操作部８の操作によってメール返信する指令を通信制御部２６へ与える。また制御部６は、予め定める複数のメール本文のうちの１つを選択してメール返信する指令を通信制御部２６へ与えるうえ、予め定める宛先へメール送信する指令を通信制御部２６へ与える。また制御部６は、予め定める件名のうちの１つを選択して画像とともにメール送信する指令を通信制御部２６へ与える。
【００３９】
画像処理部１７は、増幅部、アナログ／デジタル（Ａｎａｌｏｇ／Ｄｉｇｉｔａｌ；略称Ａ／Ｄ）変換部および信号処理部を含む。増幅部は、カメラ１５から与えられるＲ，Ｇ，Ｂの３色光のそれぞれに対応した電気信号を増幅し、Ａ／Ｄ変換部に与える。Ａ／Ｄ変換部は、増幅部で増幅されたＲ，Ｇ，Ｂに対応したアナログの電気信号をデジタルの電気信号に変換し、画像データを生成して信号処理部に与える。信号処理部は、Ａ／Ｄ変換部から与えられる画像データに対して、画素の補間処理などの信号処理を行う。また信号処理部は、制御部６から与えられる制御信号に基づいて、信号処理を施した画像データを第１メモリ１８に与える。
【００４０】
第１メモリ１８は、画像処理部１７からたとえば連続的に与えられる画像データを一時的に記憶する。第１メモリ１８は、複数画面分の画像データを記憶している。第１メモリ１８に記憶される画像データのうち、時間的に古い画像データは消去される、あるいは時間的に古い画像データに時間的に最も新しい画像データが上書きされることによって、第１メモリ１８には一時的に画像データが記憶される。第１メモリ１８は、たとえばスタティックランダムアクセスメモリ（Ｓｔａｔｉｃ  Ｒａｎｄｏｍ  Ａｃｃｅｓｓ  Ｍｅｍｏｒｙ；略称ＳＲＡＭ）などの揮発性メモリによって実現される。
【００４１】
第２メモリ１９は、内部側操作部５および外部側操作部８のいずれか一方によって入力された情報、ここではカメラ１５で撮像された画像を保存する指示が入力された場合に、この指示に応答した制御部６によって与えられる制御信号に基づいて第１メモリ１８に記憶された画像データのうち所定の画像データを保存する。
【００４２】
また第２メモリ１９には、内部側操作部５によって入力された文字データ、および通信制御部２６を介して受信した画像データおよび文字データなどの情報が保存される。第２メモリ１９は、たとえばフラッシュメモリなどの不揮発性メモリによって実現される。前述した外部側操作部８のうちシャッタキー１０を操作することによって、カメラ１５で撮像された画像を第２メモリ１９に保存することができる。これら第１および第２メモリ１８，１９が記憶手段に相当する。
【００４３】
制御部６は、内部側操作部５および外部側操作部８のうちいずれか一方によって入力されるカメラ１５で撮像するための情報に応答する。カメラ１５で撮像するための情報が内部側操作部５によって入力された場合には、制御部６は、この内部側操作部５に対応する内部側表示部７に前記カメラ１５で撮像した画像を表示させる。カメラ１５で撮像するための情報が外部側操作部８によって入力された場合には、制御部６は、この外部側操作部８に対応する外部側表示部１１に前記カメラ１５で撮像した画像を表示させる。したがって操作者は、内部側操作部５または外部側操作部８から所定の情報を入力することができるので、携帯電話機の操作性が向上する。
【００４４】
内部側操作部５によってカメラ１５で撮像するための情報が入力された場合には、制御部６は、第１メモリ１８に記憶された画像データを、第１表示ドライバ部２０に与える。外部側操作部８によってカメラ１５で撮像するための情報が入力された場合には、制御部６は、第２メモリ１９に記憶された画像データを、第２表示ドライバ部２１に与える。
【００４５】
第１メモリ１８に一時的に記憶され、内部側表示部７に表示する画像データおよび文字データの少なくともいずれか一方のデータに基づいて、第１表示ドライバ部２０は、内部側表示部７の各画素電極に対して駆動電圧を印加する。第２メモリ１９に保存され、外部側表示部１１に表示する画像データおよび文字データの少なくともいずれか一方のデータに基づいて、第２表示ドライバ部２１は、外部側表示部１１の各画素電極に対して駆動電圧を印加する。これによって内部側表示部７および外部側表示部１１のうち少なくともいずれか一方に、所定の表示内容が表示される。内部側表示部７は、第１表示ドライバ部２０によって駆動され、カメラ１５で撮像された画像を表示する。外部側表示部１１は、第２表示ドライバ部２１によって駆動され、カメラ１５で撮像された画像を表示する。
【００４６】
第１バックライトユニット２２は、表示面側から臨んで内部側表示部７の背後に設けられ、内部側表示部７に光を照射する。第２バックライトユニット２３は、表示面側から臨んで外部側表示部１１の背後に設けられ、外部側表示部１１に光を照射する。第１および第２バックライトユニット２２，２３は、いわゆるサイドライトタイプのバックライトユニットである。これら第１および第２バックライトユニット２２，２３は、発光ダイオードなどの発光素子と光学フィルタなどで構成した導光板とを含んで構成され、前記発光素子を導光板の厚み方向に垂直な方向の側部に配置して、その発光素子が発する光を導光板に形成したパターンによって表示面に導き、バックライトとして照射する。
【００４７】
第１および第２バックライトユニット２２，２３には制御部６から制御信号が与えられ、発光素子の点灯／消灯、および輝度調整などが行なわれる。第１および第２バックライトユニット２２，２３を設けることによって、携帯電話機１の周囲が暗い場合でも、内部側表示部７および外部側表示部１１の少なくともいずれか一方に表示される表示内容を見やすくすることができ、視認性が向上する。
【００４８】
前述した第１および第２バックライトユニット２２，２３は、各々独立して制御部６によって制御される。内部側表示部７に所定の表示内容が表示されている場合には、制御部６は、第１バックライトユニット２２の発光素子を点灯させる。外部側表示部１１に所定の表示内容が表示されている場合には、制御部６は、第２バックライトユニット２２，２３の発光素子を点灯させる。
【００４９】
第１および第２バックライトユニット２２，２３の各発光素子は、操作者によってこれらの発光素子を消灯するための情報が内部側操作部５または外部側操作部８によって入力されるまで点灯する構成とする。第１および第２バックライトユニット２２，２３の発光素子は、点灯してから予め定める時間が経過すると、制御部６によって消灯される構成としてもよい。
【００５０】
状態検出スイッチ２４は、ケーシング２，３の折り畳み状態および展開状態を検出する判定手段である状態検出部の一部を構成する。この状態検出部は、たとえばケーシング３に設けられる突起部、ケーシング２に設けられる孔部、状態検出スイッチ２４、および制御部６を含み構成される。制御部６は、前記孔部に挿入可能な突起部の位置、換言すれば状態検出スイッチ２４のスイッチング状態に基づいて、たとえば個別接点間に流れる電流を検出可能に構成される。
【００５１】
制御部６は、個別接点間に流れる電流を検出することによって、電流が流れればケーシング２，３が折り畳み状態であると判断する。ケーシング２，３が展開状態である場合には、個別接点間に電流を流すことができない。したがって制御部６は、ケーシング２，３が折り畳み状態でないとつまり展開状態であると判断する。
【００５２】
このように携帯電話機１においては、制御部６が、状態検出スイッチ２４のスイッチング状態に基づいて、ケーシング２，３が展開状態であるのか折り畳み状態であるのかを簡単な構成で容易に検出することができる。前記ケーシング２，３の展開状態は、内部側操作部５および外部側操作部８を操作可能な操作部許容状態と同義である。前記ケーシング２，３の折り畳み状態は、外部側操作部８だけを操作可能な操作部規制状態と同義である。
【００５３】
図７は、撮像対象の画像をメール送信する方法を説明する図であり、（ａ）は撮像対象の画像を外部側表示部１１に表示させて撮像する段階の図、（ｂ）は撮像した画像をメール送信する準備段階の図である。図８は、予め設定された件名および本文を選択する方法を説明する図であり、（ａ）は件名を選択する段階の図、（ｂ）は本文を選択する段階の図である。本文はメール本文と同義である。
【００５４】
本実施形態の携帯電話機１では、図７に示すように、カメラ１５によって、折り畳み状態で外部側操作部８の操作に基づいて撮像する。その後、携帯電話機１が展開状態にあるか折り畳み状態にあるかを判定する判定結果に基づき、撮像した画像を、前記折り畳み状態のまま外部側操作部８の操作によってメール送信する。
【００５５】
ここでメール送信する宛先、件名（タイトル）、および本文は、第１または第２メモリ１８，１９に書き換え可能に記憶されている。また図８（ａ）に示すように、操作者が複数の件名のうちの１つを選択可能に構成されている。具体的に、複数の件名のうちの１つを選択する際には、画像撮像後、本携帯電話機１を折り畳み状態のまま「メール送信」に相当する左キー９ｂを操作する。
【００５６】
これによって外部側表示部１１には、たとえば「件名？」、「１．〜の画像」、および「２．〜の画像」などが表示される。この段階で操作者は、所望の件名に、左キー９ｂまたは右キー９ｃを用いてカーソルＣＲを合わせる。たとえば左キー９ｂを操作することで、カーソルＣＲは上位の件名に移動し、右キー９ｃを操作することで、カーソルＣＲは下位の件名に移動するように設定されている。
【００５７】
このように所望の件名にカーソルＣＲを合わせた状態で、操作者が決定ボタンに相当する中央キー９ａを操作することで、件名が確定する。本携帯電話機１では、使用頻度の高い件名を、デフォルトでカーソルＣＲを合わせた状態に設定することも可能である。この設定によれば、件名が表示された画面にて、左キー９ｂまたは右キー９ｃを用いることなく件名を確定することができる。それ故、画像をメール送信する際の操作性を一層簡略化することができる。
【００５８】
件名を確定した後、折り畳み状態である本携帯電話機１の外部側表示部１１には、たとえば「本文？」、「１．最近の様子です」、および「２．ＯＫです」などが表示される。この段階で操作者は、所望の本文に、左キー９ｂまたは右キー９ｃを用いてカーソルＣＲを合わせる。たとえば左キー９ｂを操作することで、カーソルＣＲは上位の本文に移動し、右キー９ｃを操作することで、カーソルＣＲは下位の本文に移動するように設定されている。
【００５９】
このように所望の本文にカーソルＣＲを合わせた状態で、操作者が決定ボタンに相当する中央キー９ａを操作することで、本文が確定する。本携帯電話機１では、使用頻度の高い本文を、デフォルトでカーソルＣＲを合わせた状態に設定することも可能である。この設定によれば、本文が表示された画面にて、左キー９ｂまたは右キー９ｃを用いることなく本文を確定することができる。それ故、画像をメール送信する際の操作性を一層簡略化することができる。
【００６０】
図９は、受信メールを利用してメール返信する方法を段階的に示す図である。図１０は、着信履歴を利用してメール返信する方法を段階的に示す図である。本携帯電話機１は、折り畳み状態で通話着信またはメール着信可能に構成されている。前記通話着信またはメール着信した着信データは、第１メモリ１８または第２メモリ１９に記憶される。
【００６１】
前記着信データには、たとえば発信元のメールアドレスが含まれている。ただし必ずしも着信データにメールアドレスが含まれるとは限らない。つまり契約者固有の電話番号に対応する宛先データが通信事業者によって自動的に割り当てられ、メールアドレスを用いることなくたとえば携帯電話機同士でメールのやりとりを行う場合もあり得る。
【００６２】
前記状態検出部によって、本携帯電話機１が展開状態にあるか折り畳み状態にあるかが判定される。本携帯電話機１では、この判定結果に基づき、前記折り畳み状態で通話着信またはメール着信した着信データを用いて、折り畳み状態のまま外部側操作部８の操作によって、メール返信可能に構成されている。
【００６３】
図９に示すように具体的に受信メールを利用してメール返信する場合には、次のような操作手順によって簡単にメール返信することが可能となる。つまり折り畳み状態でメール着信した着信データは、第１メモリ１８または第２メモリ１９に記憶される。このとき外部側表示部１１には、たとえば前記受信メールを受信した日時「０３／０１／２８  １５：３０」、相手「坂口  憲三」、件名「飲み会」、および本文「今日の飲み会は、〜」などが表示される。
【００６４】
前記折り畳み状態のまま操作者が右キー９ｃを予め定める時間（たとえば約２秒間）長押しすると、外部側表示部１１は本文入力画面に移行する。換言すれば、前記折り畳み状態で操作者が予め定める時間続けて右キー９ｃを押すと、制御部６は右キー９ｃが長押しされたと判断する。ただし予め定める時間は、２秒間に限定されるものではない。
【００６５】
前記外部側表示部１１の本文入力画面には、たとえば「了解しました！」の文字が表示される。この状態で、操作者が決定ボタンに相当する中央キー９ａを押すと、本文が確定されるとともに外部側表示部１１にメール画面が表示される。このメール画面には、宛先、件名、および確定した本文などが表示される。前記宛先には、受信メールの送信元が表示される。前記件名には、たとえば受信した件名に「Ｒｅ：」を付与した件名つまり「Ｒｅ：飲み会」が表示される。このようなメール画面が表示された状態で、送信キーに相当する中央キー９ａを操作者が押すことによってメール返信される。
【００６６】
図１０に示すように、着信履歴を利用してメール返信する場合には、次のような操作手順によって簡単にメール返信することが可能となる。たとえば折り畳み状態で音声着信した着信データは、第１メモリ１８または第２メモリ１９に記憶される。前記音声着信した着信データは、通話着信データと同義である。このとき外部側表示部１１には、「不在着信」の文字、音声着信した日時「１／２８  １４：３０」、相手「企画  伊藤」、および相手の電話番号「０９０１１１１２２２２」などが表示される。
【００６７】
前記折り畳み状態のまま操作者が右キー９ｃを予め定める時間（たとえば約２秒間）長押しすると、外部側表示部１１は本文入力画面に移行する。換言すれば、前記折り畳み状態で操作者が予め定める時間続けて右キー９ｃを押すと、制御部６は右キー９ｃが長押しされたと判断する。ただし予め定める時間は、２秒間に限定されるものではない。
【００６８】
前記外部側表示部１１の本文入力画面には、たとえば「了解しました！」の文字がデフォルトで表示される。ここで右キー９ｃを押すと、次の本文「今会議中なので電話に出られません。また後でかけ直すね！」が表示される。この状態で左キー９ｂを押すと、元の本文「了解しました！」の表示画面に戻る。前記状態で、操作者が決定ボタンに相当する中央キー９ａを押すと、本文が確定されるとともに外部側表示部１１にメール画面が表示される。
【００６９】
このメール画面には、宛先、件名、および確定した本文などが表示される。前記宛先には、着信データの送信元が表示される。前記件名には、使用頻度の高い件名がデフォルトで予め設定されている。このようなメール画面が表示された状態で、送信キーに相当する中央キー９ａを操作者が押すことによってメール返信される。
【００７０】
図１１は、外部側表示部１１における待受け表示画面の設定方法を段階的に示すフローチャートである。図１２は、外部側表示部１１における待受け表示画面を、保存する方法を段階的に示すフローチャートである。これら図１１および図１２のフローチャートつまり待受け表示画面の設定および保存は、制御部６に予め格納されるプログラムに基づいて実行される。前記プログラムは中央演算処理装置によって実行される。
【００７１】
ステップｓ０で本フローをスタートさせ、たとえば操作者が「メニュー」に相当する中央キー９ａを操作すると、ステップｓ１において制御部６は、本携帯電話機１をカメラモードつまり撮影状態に移行させる。次にステップｓ２に移行して、制御部６は、状態検出スイッチ２４のスイッチングッ状態に基づいて、折り畳み状態であるか否かを判断する。ここで折り畳み状態であると判断されるとステップｓ３に移行して、制御部６は、撮像画像を外部側表示部１１に表示する。この段階で左キー９ｂ、右キー９ｃ、および中央キー９ａにそれぞれ近接する外部側表示部１１の表示領域には、「ズームダウン」、「ズームアップ」、および「メニュー」の文字が表示される。
【００７２】
このように各キーにそれぞれ近接する外部側表示部１１の表示領域に、対応する文字が表示されるので、操作者はその文字を確認しつつ所望のキーを操作することが可能となる。その後ステップｓ４に移行し、操作者がズームダウンに相当する左キー９ｂを操作したか否かを、制御部６が判断する。この左キー９ｂを操作したと判断されると、ステップｓ５に移行し、制御部６は、撮像画像全体のうちの一部をズームダウン表示する。
【００７３】
本携帯電話機１においては、操作者が左キー９ｂを操作する毎に、撮像画像を段階的にズームダウンすることができるうえ、操作者が左キー９ｂを長押しすることによって、撮像画像を連続的にズームダウンすることも可能である。操作者が予め定める時間（たとえば約２秒間）続けて左キー９ｂを操作すると、制御部６は左キー９ｂが長押しされたと判断する。ただし予め定める時間は、２秒間に限定されるものではない。
【００７４】
次にステップｓ６に移行し、操作者がズームアップに相当する右キー９ｃを操作したか否かを、制御部６が判断する。この右キー９ｃを操作したと判断されると、ステップｓ７に移行し、制御部６は撮像画像全体の一部を外部側表示部１１にズームアップ表示する。本携帯電話機においては、操作者が右キー９ｃを操作する毎に、撮像画像を段階的にズームアップすることができるうえ、操作者が右キー９ｃを長押しすることによって、撮像画像を連続的にズームアップすることも可能である。操作者が予め定める時間（たとえば約２秒間）続けて右キー９ｃを操作すると、制御部６は右キー９ｃが長押しされたと判断する。ただし予め定める時間は、２秒間に限定されるものではない。
【００７５】
その後ステップｓ８に移行し、操作者がメニューに相当する中央キー９ａを操作したか否かを、制御部６が判断する。前記中央キー９ａを操作したと判断されると、ステップｓ９に移行する。ステップｓ９において、中央キー９ａが開放されたか否かが制御部６によって判断される。換言すれば操作者が中央キー９ａを操作した状態を解除したか否かを、制御部６が判断する。中央キー９ａを開放したと判断されると、ステップｓ１０（図１５のサブルーチン）に移行する。ステップｓ９において中央キー９ａは開放されていないと制御部６が判断すると、ステップｓ１１に移行する。
【００７６】
このステップｓ１１で予め定める時間（たとえば約５秒間）経過したか否かを、制御部６が判断する。ただし前記予め定める時間は、５秒間に必ずしも限定されるものではない。ここで予め定める時間経過していないと判断されると、ステップｓ９に戻る。予め定める時間経過したと判断されると、ステップｓ１２に移行して本携帯電話機１は、電話およびメールなどを待受ける待受状態となる。
【００７７】
ステップｓ８で中央キー９ａを操作していないと、制御部６が判断すると、ステップｓ１３に移行する。このステップｓ１３にて操作者がシャッタキー１０を操作したか否かを、制御部６が判断する。ここでシャッタキー１０を操作していないと判断されると、ステップｓ２に戻る。逆にシャッタキー１０を操作したと判断されると、ステップｓ１４に移行する。ステップｓ１４において制御部６は、予め設定されたサイズにて撮像した画像データを仮保存する。その後ステップｓ１５に移行し、制御部６は、仮保存した撮像画像を外部側表示部１１に表示させる。
【００７８】
その後ステップｓ１６に移行し、状態検出スイッチ２４のスイッチング状態に基づいて、制御部６は、本携帯電話機１が折り畳み状態であるか否かを判断する。携帯電話機１が折り畳み状態でないと判断されると、ステップｓ４２に移行する。ここで携帯電話機１が折り畳み状態であると判断されると、ステップｓ１７に移行する。ステップｓ１７において、操作者が待受け表示画面登録キーに相当する右キー９ｃを操作したか否かを、制御部６が判断する。
【００７９】
この右キー９ｃを操作したと判断されると、ステップｓ１８に移行し、制御部６は、ステップｓ１４で仮保存された画像データをたとえばＪＰＥＧデータ（ＪＰＥＧ：Ｊｏｉｎｔ  Ｐｈｏｔｏｇｒａｐｈｉｃ  Ｅｘｐｅｒｔｓ  Ｇｒｏｕｐ）に変換する。このＪＰＥＧデータに変換するステップとは、画像データサイズと送信データサイズとに基づき圧縮率を定め、その圧縮率によって画像データをＪＰＥＧデータに変換するステップと同義である。次にステップｓ１９に移行し、制御部６はこのＪＰＥＧデータをたとえば第１メモリ１８のライブラリに保存する。その後ステップｓ２０に移行して、待受表示画面登録のサブルーチンに基づいて、内部側表示部７の待受表示画面が登録される。
【００８０】
ステップｓ１７において、右キー９ｃを操作していないと制御部６が判断すると、ステップｓ２１に移行する。ステップｓ２１において、操作者がＪＰＥＧデータ保存キーおよびクイックメール（１）移行キーに相当する左キー９ｂを操作したか否かを、制御部６が判断する。この左キー９ｂを操作したと判断されると、ステップｓ２２に移行し、制御部６は、ステップｓ１４で仮保存された画像データをたとえばＪＰＥＧデータ（ＪＰＥＧ：Ｊｏｉｎｔ  Ｐｈｏｔｏｇｒａｐｈｉｃ  Ｅｘｐｅｒｔｓ  Ｇｒｏｕｐ）に変換する。次にステップｓ２３に移行し、制御部６はこのＪＰＥＧデータをたとえば第１メモリ１８のライブラリに保存する。その後ステップｓ２４に移行して後述するクイックメール（１）を実行するためのサブルーチンへ移行する。
【００８１】
ステップｓ２１において、左キー９ｂを操作していないと制御部６が判断すると、ステップｓ２５に移行し、操作者がＪＰＥＧデータ保存キーおよび撮影状態に戻るキーに相当する中央キー９ａを操作したか否かを、制御部６が判断する。この中央キー９ａを操作していないと判断されると、ステップｓ１６に戻る。ステップｓ２５で中央キー９ａを操作したと判断されると、ステップｓ１００に移行する。このステップｓ１００において、中央キー９ａが開放されたか否かが制御部６によって判断される。操作者が中央キー９ａを操作した状態を解除したと、制御部６が判断すると、ステップｓ２６に移行する。
【００８２】
ステップｓ２６では、ステップｓ１４で仮保存された画像データをたとえばＪＰＥＧデータに変換する。次にステップｓ２７に移行し、制御部６はこのＪＰＥＧデータをたとえば第１メモリ１８のライブラリに保存する。その後ステップｓ２８に移行し、制御部６は本携帯電話機１をカメラモードつまり撮像状態にする。
【００８３】
前記ステップｓ１００において、中央キー９ａは開放されていないと制御部６が判断すると、ステップｓ１０１に移行する。このステップｓ１０１で予め定める時間（たとえば約５秒間）経過したか否かを、制御部６が判断する。ただし前記予め定める時間は、５秒間に必ずしも限定されるものではない。ここで予め定める時間経過していないと判断されると、ステップｓ１００に戻る。予め定める時間経過したと判断されると、ステップｓ１０２に移行して本携帯電話機１は、電話およびメールなどを待受ける待受状態となる。
【００８４】
図１３は、内部側表示部７における待受け表示画面の設定方法を段階的に示すフローチャートである。内部側表示部７を、図１３においてメインＬＣＤと表記する。図１４は、内部側表示部７における待受け表示画面を、保存する方法を段階的に示すフローチャートである。これら図１３および図１４のフローチャートつまり前記待受け表示画面の設定および保存は、制御部６に予め格納されるプログラムに基づいて実行される。前記プログラムは中央演算処理装置によって実行される。図３も参照しつつ説明する。
【００８５】
図１１のステップｓ２において、本携帯電話機１は折り畳み状態ではないと判断されると、ステップｓ２９に移行する。ここで制御部６は、携帯電話機１が折り畳み状態であるか否かを再び判断する。このステップｓ２９で折り畳み状態であると判断されると、ステップｓ２に戻る。ステップｓ２９で、携帯電話機１が折り畳み状態ではないつまり展開状態であると制御部６が判断すると、ステップｓ３０に移行する。
【００８６】
前記ステップｓ３０において、制御部６は、撮像画像を内部側表示部７に表示する。その後ステップｓ３１に移行し、操作者がズームダウンに相当する左キー２９を操作したか否かを、制御部６が判断する。この左キー２９を操作したと判断されると、ステップｓ３２に移行し、制御部６は撮像画像を内部側表示部７にズームダウンつまり縮小して表示する。左キー２９および後述する右キー３０は、内部側操作部５の操作キー５ａに含まれる。
【００８７】
次にステップｓ３３に移行し、操作者がズームアップに相当する右キー３０を操作したか否かを、制御部６が判断する。この右キー３０を操作したと判断されると、ステップｓ３４に移行し、制御部６は撮像画像を内部側表示部７にズームアップつまり拡大して表示する。その後ステップｓ３５に移行し、操作者がカメラキー３４（図３参照）を操作したか否かを、制御部６が判断する。前記カメラキー３４を操作したと判断されると、ステップｓ３７の撮影メインメニューに移行する。カメラキー３４は、内部側操作部５の操作キー５ａに含まれる。
【００８８】
ステップｓ３５でカメラキー３４を操作していないと、制御部６が判断すると、ステップｓ３８に移行する。このステップｓ３８にて、操作キー５ａに含まれる電源キー３５を操作者が操作したか否かを、制御部６が判断する。ここで電源キー３５を操作したと制御部６が判断すると、ステップｓ３９に移行して本携帯電話機１は、電話およびメールなどを待受ける待受状態となる。ステップｓ３８で電源キー３５を操作していないと、制御部６が判断すると、ステップｓ４０に移行する。
【００８９】
ステップｓ４０でＦキー３１を操作者が操作したか否かを、制御部６が判断する。ここでＦキー３１を操作していないと制御部６が判断すると、ステップｓ２９に戻る。逆にＦキー３１を操作したと制御部６が判断すると、ステップｓ４１に移行する。ステップｓ４１において制御部６は、予め設定されたサイズにて撮像した画像データを仮保存する。その後ステップｓ４２に移行し、制御部６は、仮保存した撮像画像を内部側表示部７に表示させる。
【００９０】
その後ステップｓ４３に移行し、状態検出スイッチ２４のスイッチング状態に基づいて、制御部６は、本携帯電話機１が折り畳み状態であるか否かを判断する。ここで携帯電話機１が折り畳み状態であると判断されると、ステップｓ１５に移行する。携帯電話機１が折り畳み状態でないと判断されると、ステップｓ４４に移行する。ステップｓ４４において、操作者がカメラキー３４を操作したか否かを、制御部６が判断する。カメラキー３４は、キー操作部５ａに含まれる。
【００９１】
このカメラキー３４を操作したと判断されると、ステップｓ４５に移行し、制御部６は、ステップｓ４１で仮保存された画像データをたとえばＪＰＥＧデータに変換する。次にステップｓ４６に移行し、制御部６はこのＪＰＥＧデータをたとえば第１メモリ１８のライブラリに保存する。その後ステップｓ２０に移行して、後述する待受表示画面のサブルーチンに基づいて、外部側表示部１１の待受表示画面が登録される。
【００９２】
ステップｓ４４において、カメラキー３４を操作していないと制御部６が判断すると、ステップｓ４８に移行する。ステップｓ４８において、操作者がＪＰＥＧデータ保存キーおよびクイックメール（２）移行キーに相当するメールキー３３を操作したか否かを、制御部６が判断する。キー操作部５ａに含まれるメールキー３３を操作したと判断されると、ステップｓ４９に移行し、制御部６は、ステップｓ４１で仮保存されたＪＰＥＧデータに変換する。次にステップｓ５０に移行し、制御部６はこのＪＰＥＧデータをたとえば第１メモリ１８のライブラリに保存する。その後ステップｓ５１に移行してクイックメール（２）を実行するためのサブルーチンへ移行する。
【００９３】
ステップｓ４８において、メールキー３３を操作していないと制御部６が判断すると、ステップｓ５２に移行し、操作者がＪＰＥＧデータ保存キーおよび撮影状態へ戻るキーに相当するＦキー３１を操作したか否かを、制御部６が判断する。このＦキー３１を操作していないと判断されると、ステップｓ４３に戻る。ステップｓ５２でＦキー３１を操作したと判断されると、ステップｓ５３に移行する。ステップｓ５３では、ステップｓ４１で仮保存された画像データをたとえばＪＰＥＧデータに変換する。次にステップｓ５４に移行し、制御部６はこのＪＰＥＧデータをたとえば第１のメモリ１８のライブラリに保存する。その後ステップｓ５５に移行し、制御部６は本携帯電話機１をカメラモードつまり撮像状態にする。
【００９４】
図１５は、撮影サブメニューのサブルーチンを表すフローチャートである。図１１に示すようにステップｓ１０の撮影サブメニューに移行すると、次にステップｓ５６に移行する。このステップにおいて、制御部６は外部側表示部１１にサブメニュー表示画面を表示する。
【００９５】
次にステップｓ５７に移行して、制御部６は、状態検出スイッチ２４のスイッチング状態に基づいて、折り畳み状態であるか否かを判断する。ここで折り畳み状態ではないと判断されるとステップｓ３７の撮影メインメニューに移行する。ステップｓ５７で本携帯電話機１が折り畳み状態であると判断されると、ステップｓ５８に移行し、複数の項目のうちの所望の項目を選択する。
【００９６】
前記複数の項目は、たとえばファインダ方向切替、撮影モード切替、連続撮影、およびセルフタイマーなどがある。前記ファインダ方向切替とは、ファインダの縦方向と横方向とを切替操作することであって、たとえばデフォルトで縦方向に設定されている。前記撮影モード切替とは、撮影モードの静止画と動画とを切替操作することである。前記セルフタイマーとは、セルフタイマーのスイッチング状態つまりＯＮとＯＦＦとを切替操作することである。
【００９７】
その後ステップｓ５９に移行し、操作者が決定ボタンに相当する中央キー９ａを操作したか否かを制御部６が判断する。中央キー９ａを操作していないと制御部６が判断すると、ステップｓ５７に戻る。中央キー９ａを操作したと制御部６が判断すると、ステップｓ６０に移行する。ここで中央キー９ａが開放されたか否かが制御部６によって判断される。このステップｓ６０において中央キー９ａが開放されたと制御部６が判断すると、ステップｓ５８で選択された項目を設定変更する。
【００９８】
その後ステップｓ６２に移行し、制御部６は、本携帯電話機１をカメラモードつまり撮影状態に戻す。ステップｓ６０において中央キー９ａが開放されていないと制御部６が判断すると、ステップｓ６３に移行する。ここで予め定める所定時間（たとえば約５秒）経過したか否かが判断される。所定時間経過していなければ、ステップｓ６０に戻る。所定時間経過していれば、前記ステップｓ６２に移行する。
【００９９】
図１６および図１７は、メール送信方法（クイックメール１）を段階的に示すフローチャートである。前記ステップｓ２４（図１２参照）に移行すると、ステップｓ２００に移行する。ここで、メール送信する宛先がたとえば第２メモリ１９に記憶されているか否かを制御部６が判断する。このステップｓ２００でメール送信しようとする宛先が記憶されていないと判断されると、ステップｓ２０１に移行する。
【０１００】
ステップｓ２０１において、制御部６は、外部側表示部１１にエラー表示を行う。具体的に外部側表示部１１の表示画面には、「クイックメール送信」、「宛先が設定されていません、機能メニューで宛先を設定してください」などが表示される。次にステップｓ２０２に移行して、予め定める時間（たとえば約５秒間）経過したか否かを、制御部６が判断する。ただし前記予め定める時間は、５秒間に必ずしも限定されるものではない。
【０１０１】
予め定める時間経過したと判断されると、ステップｓ２０３に移行して本携帯電話機１は、電話およびメールなどを待受ける待受状態となる。ステップｓ２０２で、予め定める時間経過していないと判断されると、ステップｓ２０４に移行する。このステップｓ２０４において、確認キーに相当する中央キー９ａを操作したか否かを制御部６が判断する。このステップで中央キー９ａを操作したと制御部６が判断すると、ステップｓ２０３に移行して前記待受状態となる。
【０１０２】
ステップｓ２０４で中央キー９ａを操作していないと制御部６が判断すると、ステップｓ２０５に移行する。ステップｓ２０５では、状態検出スイッチ２４のスイッチング状態に基づいて、制御部６は、本携帯電話機１が折り畳み状態であるか否かを判断する。携帯電話機１が折り畳み状態であると判断されると、ステップｓ２０２に戻る。携帯電話機１が折り畳み状態でないと判断されると、後述のステップｓ３０１に移行する。
【０１０３】
前記ステップｓ２００において、メール送信しようとする宛先が記憶されていると判断されるとステップｓ２０６に移行する。ここで制御部６は、宛先を自動で入力する。次にステップｓ２０７に移行し、前述のように所望の件名にカーソルＣＲを合わせた状態で、操作者が決定ボタンに相当する中央キー９ａを操作することで、件名が確定する。前記件名は、図１６において「タイトル」と表記している。このように携帯電話機１を折り畳んだ状態で、少なくとも中央キー９ａを操作するだけで件名が自動的に確定される。したがって件名を入力する操作を極力簡略化することができる。
【０１０４】
次にステップｓ２０８に移行し、前述のように所望の本文にカーソルＣＲを合わせた状態で、操作者が決定ボタンに相当する中央キー９ａを操作することで、本文が確定する。このように携帯電話機１を折り畳んだ状態で、少なくとも中央キー９ａを操作するだけで本文が自動的に確定される。したがって本文を入力する操作を極力簡略化することができる。
【０１０５】
ステップｓ２０８の後、ステップｓ２０９に移行して、サイズ固定設定されているか否かを制御部６が判断する。前記サイズ固定設定とは、クイックメール設定において、予め送信画像サイズが定められているか否かの確認のためのものである。ここでサイズ固定設定されていると制御部６が判断すると、ステップｓ２１０に移行する。
【０１０６】
このステップｓ２１０において、撮影サイズが固定サイズであるか否かを制御部６が判断する。前記撮影サイズは固定サイズではないと判断されると、ステップｓ２１１に移行し、制御部６によって画像データサイズ変換が実行される。この画像データサイズ変換は、仮保存された画像データ、すなわちＪＰＥＧ圧縮前のＢＭＰデータを元画像として用い、間引きおよび補間処理を行うこととする。
【０１０７】
その後ステップｓ２１２に移行して、制御部６によってＪＰＥＧデータ変換が実行される。前記ＪＰＥＧデータ変換とは、画像データサイズと送信データサイズとに基づき圧縮率を定め、その圧縮率によって画像データをＪＰＥＧデータに変換することと同義である。ステップｓ２１２の後、ステップｓ２１３で、メール送信する際に添付するデータつまり添付データが、制御部６によって自動的に入力される。その後ステップｓ２１４に移行する。
【０１０８】
前記ステップｓ２１４において、外部側表示部１１に確認画面の表示設定の有無を制御部６が判断する。ここで確認画面表示設定ありと制御部６が判断すると、ステップｓ２１５に移行して、制御部６は、外部側表示部１１に確認画面を表示する。次にステップｓ２１６に移行し、確認キーに相当する中央キー９ａを操作したか否かを制御部６が判断する。中央キー９ａを操作したと判断されると、ステップｓ２１７に移行して、制御部６はメール送信を実行する。その後、ステップｓ２１８に移行し、制御部６は本携帯電話機１を待受状態にする。
【０１０９】
前記ステップｓ２０９において、サイズ固定設定されていないと制御部６が判断すると、ステップｓ２１９に移行する。このステップｓ２１９で、撮影サイズが送信可能サイズであるか否かを制御部６が判断する。ここで撮影サイズが送信可能サイズであると判断されると、ステップｓ２１２に移行する。前記ステップｓ２１０で撮影サイズは固定サイズであると判断されると、ステップｓ２１２に移行する。前記ステップｓ２１４で確認画面表示設定なしと制御部６が判断すると、ステップｓ２１７に移行する。前記ステップｓ２１６で確認キーに相当する中央キー９ａを操作していないと判断されると、ステップｓ２２０に移行する。
【０１１０】
このステップｓ２２０において、状態検出スイッチ２４のスイッチング状態に基づいて、携帯電話機１が展開状態か折り畳み状態かを判断する。ここで折り畳み状態であると判断されると、ステップｓ２１６に戻る。折り畳み状態ではないと判断されると、後述するステップｓ３１５に移行する。
【０１１１】
前記ステップｓ２１９において、撮影サイズが送信可能サイズでないと制御部６が判断すると、ステップｓ２２１に移行する。ここで撮影サイズがメール送信可能なサイズよりも大きいか否かを制御部６が判断する。撮影サイズはメール送信可能なサイズより大きくないと判断されると、ステップｓ２２２に移行する。このステップｓ２２２において、制御部６は、外部側表示部１１にエラー表示する。具体的には、外部側表示部１１に、たとえば「送信できませんでした」などのメッセージが表示される。その後ステップｓ２２３に移行して、制御部６は、本携帯電話機１を待受状態にする。
【０１１２】
前記ステップｓ２２１において、撮影サイズがメール送信可能なサイズよりも大きいと判断されると、ステップｓ２２４に移行する。このステップｓ２２４において、制御部６は、外部側表示部１１にサイズ選択画面を表示する。次にステップｓ２２５に移行し、操作者は項目を選択する。その後ステップｓ２２６にて決定ボタンに相当する中央キー９ａを操作したか否かを制御部６が判断する。前記中央キー９ａを操作したと判断されると、ステップｓ２１１に移行する。
【０１１３】
ステップｓ２２６で中央キー９ａを操作していないと判断されると、ステップｓ２２７に移行し、状態検出スイッチ２４のスイッチング状態に基づいて、携帯電話機１が展開状態か折り畳み状態かを判断する。本携帯電話機１が折り畳み状態であると判断されると、ステップｓ２２５に戻る。本携帯電話機１が折り畳み状態ではないと判断されると、ステップｓ３１５に移行する。
【０１１４】
図１８および図１９は、メール送信方法（クイックメール２）を段階的に示すフローチャートである。前記ステップｓ５１（図１４参照）に移行すると、ステップｓ３００に移行する。ここで、メール送信する宛先がたとえば第２メモリ１９に記憶されているか否かを制御部６が判断する。このステップｓ３００でメール送信しようとする宛先が記憶されていないと、ステップｓ３０１に移行する。
【０１１５】
ステップｓ３０１において、制御部６は、内部側表示部１１にエラー表示を行う。具体的に内部側表示部７の表示画面には、「クイックメール送信」、「宛先が設定されていません、機能メニューで宛先を設定してください」などが表示される。次にステップｓ３０２に移行し、制御部６は、状態検出スイッチ２４のスイッチング状態に基づいて、本携帯電話機１が折り畳み状態か否かを判断する。ここで携帯電話機１が折り畳み状態であると判断されると、ステップｓ３０３の待受状態に移行する。携帯電話機１が折り畳み状態でないと判断されると、ステップｓ３０４に移行する。
【０１１６】
このステップｓ３０４において、電源キー３５を操作者が操作したか否かを、制御部６が判断する。ここで電源キー３５を操作したと判断されると、ステップｓ３０３の待受状態に移行する。電源キー３５を操作していないと判断されると、ステップｓ３０５に移行し、Ｆキー３１を操作者が操作したか否かを制御部６が判断する。ここでＦキー３１を操作していないと制御部６が判断すると、ステップｓ３０２に戻る。
【０１１７】
逆にＦキー３１を操作したと制御部６が判断すると、ステップｓ３０６に移行し、制御部６は、内部側表示部７にクイックメール設定画面を表示する。具体的には、宛先、件名、本文、サイズ固定要否（要の場合はそのサイズ）、および確認画面要否を設定することができる画面を、内部側表示部７に表示する。また前記確認画面要否の設定は、待受状態のメニューからの行うことができる。
【０１１８】
前記ステップｓ３００またはステップｓ３０６の後、ステップｓ３０７に移行する。ここで制御部６は、宛先を自動で入力する。次にステップｓ３０８に移行し、たとえば内部側表示部７に表示された複数の件名のうち所望の件名にカーソルＣＲを合わせた状態で、操作者が決定ボタンに相当するＦキー３１を操作することで、件名が確定する。前記件名は、図１８において「タイトル」と表記している。
【０１１９】
次にステップｓ３０９に移行し、たとえば内部側表示部７に表示された複数の本文のうち所望の本文にカーソルＣＲキーを合わせた状態で、操作者が決定ボタンに相当するＦキー３１を操作することで、本文が確定する。ステップｓ３０９の後、ステップｓ３１０に移行して、サイズ固定設定されているか否かを制御部６が判断する。ここでサイズ固定設定されていると制御部６が判断すると、ステップｓ３１１に移行する。
【０１２０】
このステップｓ３１１において、撮影サイズが固定サイズであるか否かを制御部６が判断する。前記撮影サイズは固定サイズではないと判断されると、ステップｓ３１２に移行し、制御部６によって画像データサイズ変換が実行される。この画像データサイズ変換は、仮保存された画像データ、すなわちＪＰＥＧ圧縮前のＢＭＰデータを元画像として用い、間引きおよび補間処理を行うこととする。
【０１２１】
その後ステップｓ３１３に移行して、制御部６によってＪＰＥＧデータ変換が実行される。次に、ステップｓ３１４で、メール送信する際に添付するデータつまり添付データが、制御部６によって自動的に入力される。その後ステップｓ３１５に移行し、制御部６は、内部側表示部７にメール作成画面を表示する。次にステップｓ３１６に移行し、操作者は項目を選択する。その後ステップｓ３１７にてＦキー３１を操作したか否かを制御部６が判断する。ここでＦキー３１を操作していないと判断されると、ステップｓ３１８に移行する。このステップで本携帯電話機１が折り畳み状態であるか否かを制御部６が判断する。
【０１２２】
前記ステップで携帯電話機１が折り畳み状態でないと判断されると、ステップｓ３１９に移行し、制御部６は、操作者がメールキー３３を操作したか否かを判断する。ここでメールキー３３を操作していないと判断されると、ステップｓ３１６に戻る。メールキー３３を操作したと判断されると、ステップｓ３２０に移行して、制御部６はメール送信を実行する。その後、ステップｓ３２１に移行し、制御部６は本携帯電話機１を待受状態にする。
【０１２３】
前記ステップｓ３１７において、Ｆキー３１を操作したと判断されると、ステップｓ３２２に移行する。ここで制御部６は、内部側表示部７に入力画面を表示する。次にステップｓ３２３で操作者が各種入力を行った後、ステップｓ３２４に移行し、制御部６は、操作者がＦキー３１を操作したか否かを判断する。ここでＦキー３１を操作したと判断されると、ステップｓ３１５に戻る。逆にＦキー３１を操作していないと判断されると、ステップｓ３２５に移行する。
【０１２４】
ここで制御部６は、状態検出スイッチ２４のスイッチング状態に基づいて、本携帯電話機１が折り畳み状態か否かを判断する。このステップｓ３２５において、本携帯電話機１が折り畳み状態ではないと判断されると、ステップｓ３２２に戻る。逆に折り畳み状態であると判断されると、ステップｓ３２６に移行して、制御部６は、本携帯電話機１を待受状態にする。
【０１２５】
前記ステップｓ３１０において、サイズ固定設定されていないと制御部６が判断すると、ステップｓ３１１に移行する。このステップｓ３１１で、撮影サイズが送信可能サイズであるか否かを制御部６が判断する。ここで撮影サイズが送信可能サイズであると判断されると、ステップｓ３１４に移行する。逆に撮影サイズが送信可能サイズでないと制御部６が判断すると、ステップｓ３１２に移行する。
【０１２６】
ここで撮影サイズがメール送信可能なサイズよりも大きいか否かを制御部６が判断する。撮影サイズはメール送信可能なサイズより大きくないと判断されると、ステップｓ３１３に移行する。このステップｓ３１３において、制御部６は、内部側表示部７にエラー表示する。具体的には、内部側表示部７に、たとえば「送信できませんでした」などのメッセージが表示される。その後ステップｓ３１４に移行して、制御部６は、本携帯電話機１を待受状態にする。
【０１２７】
前記ステップｓ３１２において、撮影サイズがメール送信可能なサイズよりも大きいと判断されると、ステップｓ３１５に移行する。このステップｓ３１５において、制御部６は、内部側表示部７にサイズ選択画面を表示する。次にステップｓ３１６に移行し、操作者は項目を選択する。その後ステップｓ３１７にてＦキー３１を操作したか否かを制御部６が判断する。前記Ｆキー３１を操作したと判断されると、ステップｓ３１２に移行する。
【０１２８】
ステップｓ３１７でＦキー３１を操作していないと判断されると、ステップｓ３１８に移行し、状態検出スイッチ２４のスイッチング状態に基づいて、携帯電話機１が展開状態か折り畳み状態かを判断する。ここで本携帯電話機１が折り畳み状態ではないと判断されると、ステップｓ３１６に戻る。逆に本携帯電話機１が折り畳み状態であると判断されると、ステップｓ３１９に移行し、制御部６は、本携帯電話機１を待受状態にする。
【０１２９】
以上説明した携帯電話機１によれば、カメラ１５によって、折り畳み状態で外部側操作部８の操作に基づいて撮像する。その後、携帯電話機１が展開状態にあるか折り畳み状態にあるかを判定する判定結果に基づき、撮像した画像を折り畳み状態のままメール送信する。
【０１３０】
特に、折り畳み状態で対象物を撮像し、撮像した画像を前記折り畳み状態のままメール送信することができるので、撮像およびメール送信の一連の操作を、折り畳み状態および展開状態の切替えを行うことなく実現することができる。したがって携帯電話機１の操作手順を従来のものより簡略化することができる。
【０１３１】
しかも内部側操作部５の操作が規制された折り畳み状態で、前述の撮像およびメール送信の操作を行うことができる。換言すれば、限定された機能のなかから、対象物を撮像してメール送信するための所望の機能を選択することができる。したがって本携帯電話機１によれば、撮像した画像を、簡単にかつ短時間でメール送信することができる。仮に携帯電話機１の操作に不慣れな操作者であっても、メール送信する前の準備時間を、従来のものより格段に短縮することが可能となる。
【０１３２】
また携帯電話機１は、画像を記憶する第１メモリ１８または第２メモリ１９を有するので、たとえば第１メモリ１８に、撮像した画像を一旦記憶しておき、その後この画像を、折り畳み状態のまま外部側操作部８の操作によって、メール送信することができる。また本実施形態の携帯電話機１によれば、予め定める宛先へメール送信可能であるので、撮像した画像をメール送信するための準備時間を短縮することが可能となる。
【０１３３】
また本実施形態の携帯電話機１によれば、予め定める複数の件名のうちの１つを選択して画像とともにメール送信可能であるので、画像をメール送信するための準備時間を、一層短縮することが可能となる。また携帯電話機１によれば、予め定める複数のメール本文のうちの１つを選択して画像とともにメール送信可能であるので、画像をメール送信するための準備時間を、さらに短縮することが可能となる。
【０１３４】
本実施形態のメール返信方法によれば、通話着信された後、この通話着信データを、第１メモリ１８または第２メモリ１９に記憶する。その後、予め定める複数のメール本文のうちの１つを選択して、前記通話着信データを用いて発信元へメール返信する。このように通話着信された通話着信データを用いて通話返信するのではなく、メール返信するうえ、第１メモリ１８または第２メモリ１９に予め記憶される内容のメールを、ある程度静寂性を要求される場所で即座に通話着信データを用いて、発信元へメール返信することができる。したがって発信元へ簡単にかつ短時間でメール返信することができる。
【０１３５】
また本実施形態のメール返信方法によれば、予め記憶される内容のメールは、複数のメール本文のうちの１つを選択したものであるので、状況または相手に応じた複数のメール本文を予め準備しておき、それらのうち最適なメール本文を選択することが可能となる。たとえば会議などの状況であれば、「現在会議中で電話に出ることができません。会議終了後すぐ電話します。」などのメール本文を選択可能に準備しておく。またメール返信する相手が、たとえば目上の人のとき、丁寧な言葉使いのメール本文を選択可能に準備しておくことも可能である。このように状況または相手に応じて、簡単にかつ短時間でメール返信することができる。
【０１３６】
また本実施形態の携帯電話機１によれば、折り畳み状態で通話着信またはメール着信した着信データは、第１メモリ１８または第２メモリ１９に記憶される。制御部６は、この携帯電話機１が展開状態にあるか折り畳み状態にあるかを判定する判定結果に基づき、折り畳み状態で着信した着信データを用いて、折り畳み状態のまま外部側操作部８の操作によってメール返信する指令を通信制御部２６へ与える。
【０１３７】
特に、前記着信データを用いて、折り畳み状態のまま外部側操作部８の操作によってメール返信することができる。つまり内部側操作部５の操作が規制された状態で、メール返信の操作を行うことができる。換言すれば、限定された機能のなかから、メール返信するための所望の機能を選択することができる。したがって発信元へ簡単にかつ短時間でメール返信することができる。
【０１３８】
制御部６は、予め定める複数のメール本文のうちの１つを選択してメール返信する指令を通信制御部２６へ与えるので、メール返信する前の準備時間を、従来のものよりも格段に短縮することが可能となる。
【０１３９】
本実施の形態によれば、３つの背面キー９ａ，９ｂ，９ｃが適当間隔おきに配設されているが、必ずしもこの形態に限定されるものではない。これら３つの背面キーのうちの１つの背面キーを、矩形状表示エリアの一辺に近接して配設し、別の１つの背面キーを、前記一辺に隣接する一辺に近接して配設する。さらに残りの背面キーを、矩形状表示エリアの一辺に隣接する他の一辺に近接して配設することも可能である。このように背面キーの間隔を大きくすることによって、別の背面キーを不所望に操作することを防止することができる。
【０１４０】
本実施の形態においては、画像データをＪＰＥＧデータに変換しているが、必ずしもＪＰＥＧデータに限定されるものではない。その他、前記実施形態に、特許請求の範囲を逸脱しない範囲において種々の部分的変更を行う場合もある。
【０１４１】
【発明の効果】
以上のように本発明によれば、特に、操作部規制状態で対象物を撮像し、撮像した画像を前記操作部規制状態のままメール送信することができるので、撮像およびメール送信の一連の操作を、操作部規制状態および操作部許容状態の切替えを行うことなく実現することができる。したがって携帯型情報処理装置の操作手順を従来のものよりも簡略化することができる。
【０１４２】
しかも第１操作部の操作が規制された操作部規制状態で、前述の撮像およびメール送信の操作を行うことができる。換言すれば、限定された機能のなかから、対象物を撮像してメール送信するための所望の機能を選択することができる。したがって撮像した画像を、簡単にかつ短時間でメール送信することができる。仮に携帯型情報処理装置の操作に不慣れな操作者であっても、メール送信する前の準備時間を、従来のものよりも格段に短縮することが可能となる。
【０１４３】
また本発明によれば、記憶手段に撮像した画像を一旦記憶しておき、その後この画像を、操作部規制状態のまま第２操作部の操作によって、メール送信することができる。
【０１４４】
また本発明によれば、制御手段によって、予め定める宛先へメール送信する指令を通信制御手段へ与えることができる。したがって撮像した画像をメール送信するための準備時間を短縮することが可能となる。
【０１４５】
また本発明によれば、制御手段によって、予め定める複数の件名のうちの１つを選択して画像とともにメール送信する指令を通信制御手段へ与えることができる。したがって撮像した画像をメール送信するための準備時間を、一層短縮することが可能となる。
【０１４６】
また本発明によれば、制御手段によって、予め定める複数のメール本文のうちの１つを選択して画像とともにメール送信する指令を通信制御手段へ与えることができる。したがって撮像した画像をメール送信するための準備時間を、さらに短縮することが可能となる。
【０１４７】
また本発明によれば、撮像工程において、操作部規制状態で第２操作部の操作に基づいて、対象物を撮像する。判定工程において、携帯型情報処理装置が操作部許容状態にあるか操作部規制状態にあるかを判定する。メール送信工程においては、判定工程の判定結果に基づき、前記操作部規制状態で撮像した画像を、操作部規制状態のまま第２操作部の操作によってメール送信する。
【０１４８】
特に、操作部規制状態で対象物を撮像し、撮像した画像を前記操作部規制状態のままメール送信することができるので、撮像およびメール送信の一連の操作を、操作部規制状態および操作部許容状態の切替えを行うことなく実現することができる。したがって携帯型情報処理装置の操作手順を従来のものよりも簡略化することができる。
【０１４９】
しかも第１操作部の操作が規制された操作部規制状態で、前述の撮像およびメール送信の操作を行うことができる。換言すれば、限定された機能のなかから、対象物を撮像してメール送信するための所望の機能を選択することができる。したがって撮像した画像を、簡単にかつ短時間でメール送信することができる。仮に携帯型情報処理装置の操作に不慣れな操作者であっても、メール送信する前の準備時間を、従来のものよりも格段に短縮することが可能となる。
【図面の簡単な説明】
【図１】本発明の実施形態に係る携帯電話機１において、サブ画面と背面キーとの関係を表す図である。
【図２】折り畳んだ状態の携帯電話機１のカメラ１５を含む一表面部を表す図である。
【図３】展開状態の携帯電話機１を、その厚み方向一方側から見た図である。
【図４】折り畳んだ状態の携帯電話機１の一側面図である。
【図５】折り畳んだ状態の携帯電話機１の他側面図である。
【図６】携帯電話機１の電気的構成を示すブロック図である。
【図７】撮像対象の画像をメール送信する方法を説明する図であり、（ａ）は撮像対象の画像を外部側表示部１１に表示させて撮像する段階の図、（ｂ）は撮像した画像をメール送信する準備段階の図である。
【図８】予め設定された件名および本文を選択する方法を説明する図であり、（ａ）は件名を選択する段階の図、（ｂ）は本文を選択する段階の図である。
【図９】受信メールを利用してメール返信する方法を段階的に示す図である。
【図１０】着信履歴を利用してメール返信する方法を段階的に示す図である。
【図１１】外部側表示部１１における待受け表示画面の設定方法を段階的に示すフローチャートである。
【図１２】外部側表示部１１における待受け表示画面を、保存する方法を段階的に示すフローチャートである。
【図１３】内部側表示部７における待受け表示画面の設定方法を段階的に示すフローチャートである。
【図１４】内部側表示部７における待受け表示画面を、保存する方法を段階的に示すフローチャートである。
【図１５】撮影サブメニューのサブルーチンを表すフローチャートである。
【図１６】メール送信方法（クイックメール１）を段階的に示すフローチャートである。
【図１７】メール送信方法（クイックメール１）を段階的に示すフローチャートである。
【図１８】メール送信方法（クイックメール２）を段階的に示すフローチャートである。
【図１９】メール送信方法（クイックメール２）を段階的に示すフローチャートである。
【符号の説明】
１  携帯電話機
５  内部側操作部
６  制御部
８  外部側操作部
１１  外部側表示部
１５  カメラ
１８  第１メモリ
１９  第２メモリ
２６  通信制御部
【図１】
2005020092.tif 000003
【図２】
2005020092.tif 000004
【図３】
2005020092.tif 000005
【図４】
2005020092.tif 000006
【図５】
2005020092.tif 000007
【図６】
2005020092.tif 000008
【図７】
2005020092.tif 000009
【図８】
2005020092.tif 000010
【図９】
2005020092.tif 000011
【図１０】
2005020092.tif 000012
【図１１】
2005020092.tif 000013
【図１２】
2005020092.tif 000014
【図１３】
2005020092.tif 000015
【図１４】
2005020092.tif 000016
【図１５】
2005020092.tif 000017
【図１６】
2005020092.tif 000018
【図１７】
2005020092.tif 000019
【図１８】
2005020092.tif 000020
【図１９】
2005020092.tif 000021